(57)【要約】【目的】電気的接続を必要とせずにキートップを振動させる事を可能にする。【構成】キートップに磁石を取り付けて、これをキートップ下側又は側面に取り付けた電磁石の交播磁界による磁気振動で振動させる事によりキートップを振動させる。またはキートップに内部に設けた空洞に磁石を封入して、これを交播磁界により空洞内で振動させ、空洞内壁に衝突させてキートップに振動を伝える。【選択図】  図１
2004185415.tif 000002
【特許請求の範囲】
【請求項１】
キートップに磁性材又は磁石を取り付け、この磁性材又は磁石に近接して設置した電磁石に電気振動を印加して、このキートップを振動させる事を特徴とするキートップ振動付与方式
【請求項２】
キートップ内に磁性材又は磁石を入れた空洞室を設けて、この内部で磁気振動により磁性材又は磁石が振動して空洞室の内壁に衝突し、キートップが振動するキートップ振動付与方式
【請求項３】
キー割付が変更された事を契機として一定期間、キーを振動させ、次なるキー割付がなされるまではキーを振動させない請求項１及び請求項２記載の振動キーボード
【請求項４】
キーが押下された際にのみ当該キーのキートップを振動させ、キーが押下されていない時には振動させない請求項１及び請求項２記載及び請求項３記載の振動キーボード
【発明の詳細な説明】
【０００１】
【産業上の利用分野】本発明はキーボードのキートップを振動させる振動方式に関する。
【０００２】
【従来の技術】キーボードに於いて、キーが押下された事を伝えるためや、イベントの発生状況や、現在どのようなタスクやルーチンが実行されているのかをキートップを振動させてキーボード操作者に知らせる事が提案されている。
【０００３】主にセラミック等の電歪素子材をキートップに使用して、これに適当な周波数の電気振動を印加して、キートップを振動させるものである。
【０００４】このようにキートップを振動させる事は入力効率や操作性を向上させる上で、また視覚障害者のキーボード入力の支援としても大変有効であると期待されているが、実現には至っていない。
【０００５】キートップを振動させるため、この電歪素子材へ電気的接続を行い、電気振動を印加する必要があるが、上下するキートップに電気的接続を行う事は大変難しく、この困難が、実現には至らない原因となっていた。
【本発明が解決しようとする課題】本発明に於いては、キートップに電気的接続を行う事なくキートップを振動させる方式についてのものである。
【０００６】
【課題を解決する手段】キートップに鉄片又は磁石片を取り付け、これに、キートップ底部側又は則部側から磁気振動を与える事により、鉄片又は磁石がこの磁気振動に同期して振動し、キートップもこれと共に振動する。
【０００７】すなわち、従来のようにキートップを電歪素子で振動させるのでは無く、交播磁界の磁気振動でキートップを磁力により、非接触で振動させるのであり、これにより電気的接続が不要になるので、容易にキートップを振動させることが可能になるのである。
【実施例】
【０００８】以下図を使って本発明の実施例について説明する。
キートップ１００には磁石１１０が取り付けられていて、この磁石１１０に電磁石２００の磁極２１０を近接して設置し、これに交流電圧を印加して交播磁界による磁気振動を発生させ、磁石１１０に作用させる事により、キートップ１００は磁石１１０と共に振動する。
【０００９】図１〜図４はキートップ１００を縦方向に振動させるため、電磁石２００の磁極２１０が磁石１１０の下側に近接して設置した例である。
【００１０】電磁石２００の磁極２１０を、磁石１００を吸引させる極性にすると、キートップ１００は磁石１００と共に引き下げられて図３に示す状態になる。
【００１１】この状態から電磁石２００の磁極を反転させると、磁石１００は反発し図４に示すように、キートップ１００は磁石１００と共に押し上げられる。
【００１２】この２つの状態が繰り返されてキートップ１００が上下に振動するのである。もし、電磁石２００の磁極２１０を磁石１１０の横側に近接して設置し磁気振動が横方向に作用させればキートップ１００は横に振動する。
【００１３】図５、図６はキートップ１００に空洞室１５０を設け、この中に磁石２１０を封入して、これに磁気振動を作用させる事により、この磁石が空洞室４００の中で振動して空洞室１５０の内壁に衝突し、キートップ１００が振動する。
【００１４】図５は電磁石２００からの磁力により吸引力を受けて、空洞室１５０の内壁に衝突している状態であり、図６は電磁石２００からの磁力により反発力を受けて、空洞室１５０の反対側の内壁に衝突している状態であり、この内壁への衝突が繰り返されキートップ１００へ振動が伝わるのである。
【００１５】実施例に於いては説明の容易のため、電磁石をキートップ下面に設置した例について説明したが、現実的には図７に示すように、電磁石をキートップ則面に設置して、薄型のキーボードにも本発明を搭載可能にする。
【００１６】ところで、キーボードには多数のキーがあり、この全てを振動させると電力消費が大きいので、押下されたキーのキートップのみを振動させ、離された際に当該キーの振動を停止する。これにより押下された当該キー以外は振動せず、電力消費が少なくて済む。
【００１７】
【発明の効果】、磁力により非接触でキートップを振動させる事が出来るので、簡単な構造で、従来から提案されていたにもかかわらず実現されていなかった振動キーボードを容易に実現できるのである。    特に、携帯電話やＰＤＡ等の携帯端末に本発明を搭載する事により、携帯端末の弱点であったキー入力機能の貧弱さを克服する事が出来るのである。
【００１８】また、本発明を使用する事により盲聾者との会話が可能となる。つまり、特定キーが特定周波数で振動することにより、唯一の「かな」又は「アルファベット」を特定出来るのであるから、盲聾者の会話用入出装置として機能するのである。
例えば、右手中指キーが「極く高い周波数」で振動すれば「あ」を特定すると定義し、この時このキーを押下すれば「あ」が発音せられると定義して、これを訓練すれば盲聾者の会話が成立する様になる。
【００１９】例えば、「極く高い周波数」から「極く低い周波数」までの５種類の振動数の差異を、１０本指にそれぞれ一個のキーで感知する事により、５０個の「かな」又は「アルファベット」を特定出来るが、もし左右の指で別々に識別する方式にすれば２５×２５＝６２５個の文字の識別が可能になるのである。
【００２０】更にまた、会話能力がありながら、発声器官の未発達により言葉が喋れないと言われている類人猿（特にチンパンジー）の言語能力の研究にも、本発明を使用する事によりこの会話能力の検証が可能となり、この研究の進展により類人猿との会話が可能となる可能性を秘めているのである。
【図面の簡単な説明】
【図１】キートップ一部を切り取った斜視図
【図２】キーボードの断面図
【図３】電磁石がキートップの磁石を吸引している図
【図４】電磁石がキートップの磁石を反発している図
【図５】電磁石が空洞室内の磁石を吸引している図
【図６】電磁石が空洞室内の磁石を反発している図
【図７】電磁石がキートップ内部に入り込んでいる図
【符号の説明】
１０  キーボード
１００  キートップ
１１０  磁石
１５０  空洞室
２００  電磁石
２１０    磁極
２５０  コイル
３００  キースイッチ
【図１】
2004185415.tif 000003
【図２】
2004185415.tif 000004
【図３】
2004185415.tif 000005
【図４】
2004185415.tif 000006
【図５】
2004185415.tif 000007
【図６】
2004185415.tif 000008
【図７】
2004185415.tif 000009